(57)【要約】【課題】限られたスペースに、天井高さを有効に確保することができる野縁及びそれを用いた天井構造を提供する。【解決手段】床梁２２の下方かつ天井板３３の上方に配されるとともに、天井板３３を支持する野縁１であって、床梁２２側の上面部４と、天井板３３側の下面部５とを含み、下面部５から上面部４までの野縁厚さは、第１厚さｔ１と、第１厚さｔ１よりも小さい第２厚さｔ２とを含み、野縁１の長さ方向の端部分は、第２厚さｔ２で形成されていることを特徴とする。【選択図】図２
2014163149.tif 000002
【特許請求の範囲】
【請求項１】
床梁の下方かつ天井板の上方に配されるとともに、前記天井板を支持する野縁であって、
前記床梁側の上面部と、前記天井板側の下面部とを含み、
前記下面部から前記上面部までの野縁厚さは、第１厚さと、前記第１厚さよりも小さい第２厚さとを含み、
野縁の長さ方向の端部分は、前記第２厚さで形成されていることを特徴とする野縁。
【請求項２】
前記野縁は、前記第１厚さの本体と、前記第２厚さを有する端部材とを含み、前記端部材が、前記本体の長さ方向の端部側に固着されている請求項１記載の野縁。
【請求項３】
前記端部材は、前記本体にビスで固着されている請求項２に記載の野縁。
【請求項４】
前記端部材は、前記本体と重ねられている第１部分と、前記本体から長さ方向にはみ出す第２部分とを含み、
前記第２部分は前記第２厚さを有している請求項２又は３に記載の野縁。
【請求項５】
前記本体は、前記上面部と前記下面部とを継ぐ一対の側面部とを有する角筒状であり、
前記端部材の前記第２部分は、前記本体の前記下面部に沿ってのびる底板部と、この底板部の両端から上にのびる側板部とからなり、上面側が切り欠かれた断面略コ字状である請求項４に記載の野縁。
【請求項６】
前記本体は、前記上面部と前記下面部とを継ぐ一対の側面部とを有する角筒状であり、
前記端部材の前記第１部分は、前記本体の前記側面部に沿ってのびる側板部と、この側板部の上縁から前記本体部の上面部を覆うようにのびる上板部とを含み、下面側が切り欠かれた断面略コ字状である請求項４又は５に記載の野縁。
【請求項７】
前記上板部は、一方の側板部からのびる一方の上板部と、他方の側板部からのびる他方の上板部とを含み、
前記一方の上板部と前記他方の上板部とは互いに離間している請求項６記載の野縁構造。
【請求項８】
柱と、前記柱に固着された接続金物と、前記接続金物にボルトを用いて固着された床梁とを含む架構体の前記床梁の下方に、請求項１乃至７のいずれかに記載された野縁の少なくとも１本が配置され、前記野縁に天井板が支持されている天井構造であって、
前記床梁は、水平面に沿った上、下のフランジを有するＨ型鋼からなり、
前記接続金物は、少なくとも、前記下のフランジの下面に添着された下側水平部を含み、
前記ボルトは、前記下のフランジと前記下側水平部とをそれぞれ固着しかつ前記下側水平部よりも下方に突出する下側ボルトを含んでおり、
前記野縁の前記端部分の前記上面部は、前記下側ボルトの下方に位置していることを特徴とする天井構造。
【発明の詳細な説明】
【技術分野】
【０００１】
本発明は、限られたスペースに、天井高さを有効に確保することができる野縁及びそれを用いた天井構造に関する。
【背景技術】
【０００２】
図６には、ラーメン構造の建物の天井構造の一例が示されている。この建物は、柱２０と、床梁２２とが、接続金物２４で剛接合されている。
【０００３】
床梁２２は、水平面に沿った上のフランジ２２ａと、下のフランジ２２ｂとを有するＨ型鋼からなる。
【０００４】
接続金物２４は、いわゆるスプリットＴと呼ばれるもので、側面視Ｔ字状の上の取付片２４Ａと、下の取付片２４Ｂとを含んでいる。上下の取付片２４Ａ、２４Ｂは、上のフランジ２２ａの上面に添着される上側水平部２６と、下のフランジ２２ｂの下面に添着される下側水平部２７とをそれぞれ有している。各水平部２６、２７は、高張力ボルト２８で、上のフランジ２２ａ、下のフランジ２２ｂとそれぞれ固着されている。
【０００５】
床梁２２の下方には、棒状の野縁３０が配されている。野縁３０は、一定の厚さで水平方向にのびており、その下面部３０ａには天井板３３が取り付けられている。
【０００６】
ところで、首都圏等、建築物の高さ制限が厳しい地域に三階建ての建物を施工する場合等、各階の天井高さが低くなる傾向がある。このような問題点を解決するために、例えば、天井板３３を支持する野縁３０を、床梁２２側に近づけて配置することが重要である。
【０００７】
しかしながら、床梁２２と柱２０との接合部では、床梁２２の下のフランジ２２ｂと、下側水平部２７とをそれぞれ固着する下側ボルト２８ａが下側水平部２７から下側に突出している。このため、野縁３０を床梁２２側に近づけることが困難である。特に、床梁２２の下方に耐火材３１が敷設されている場合、このような困難性はさらに高まる。従って、かねてより、建物の高さ方向において、スペース効率を十分に高めるための改善が望まれていた。
【先行技術文献】
【特許文献】
【０００８】
【特許文献１】特開２００２−１０６１０５号公報
【特許文献２】特開２００２−１０６１０４号公報
【発明の概要】
【発明が解決しようとする課題】
【０００９】
本発明は、以上のような問題点に鑑み案出なされたもので、限られたスペースに天井高さを有効に確保し、建物の高さ方向のスペース効率を高めることができる野縁及びそれを用いた天井構造を提供することを主たる目的としている。
【課題を解決するための手段】
【００１０】
本発明のうち請求項１記載の発明は、床梁の下方かつ天井板の上方に配されるとともに、前記天井板を支持する野縁であって、前記床梁側の上面部と、前記天井板側の下面部とを含み、前記下面部から前記上面部までの野縁厚さは、第１厚さと、前記第１厚さよりも小さい第２厚さとを含み、野縁の長さ方向の端部分は、前記第２厚さで形成されていることを特徴とする。
【００１１】
また請求項２記載の発明は、前記野縁は、前記第１厚さの本体と、前記第２厚さを有する端部材とを含み、前記端部材が、前記本体の長さ方向の端部側に固着されている請求項１記載の野縁である。
【００１２】
また請求項３記載の発明は、前記端部材は、前記本体にビスで固着されている請求項２に記載の野縁である。
【００１３】
また請求項４記載の発明は、前記端部材は、前記本体と重ねられている第１部分と、前記本体から長さ方向にはみ出す第２部分とを含み、前記第２部分は前記第２厚さを有している請求項２又は３に記載の野縁である。
【００１４】
また請求項５記載の発明は、前記本体は、前記上面部と前記下面部とを継ぐ一対の側面部とを有する角筒状であり、前記端部材の前記第２部分は、前記本体の前記下面部に沿ってのびる底板部と、この底板部の両端から上にのびる側板部とからなり、上面側が切り欠かれた断面略コ字状である請求項４に記載の野縁である。
【００１５】
また請求項６記載の発明は、前記本体は、前記上面部と前記下面部とを継ぐ一対の側面部とを有する角筒状であり、前記端部材の前記第１部分は、前記本体の前記側面部に沿ってのびる側板部と、この側板部の上縁から前記本体部の上面部を覆うようにのびる上板部とを含み、下面側が切り欠かれた断面略コ字状である請求項４又は５に記載の野縁である。
【００１６】
また請求項７記載の発明は、前記上板部は、一方の側板部からのびる一方の上板部と、他方の側板部からのびる他方の上板部とを含み、前記一方の上板部と前記他方の上板部とは互いに離間している請求項６記載の野縁構造である。
【００１７】
また請求項８記載の発明は、柱と、前記柱に固着された接続金物と、前記接続金物にボルトを用いて固着された床梁とを含む架構体の前記床梁の下方に、請求項１乃至７のいずれかに記載された野縁の少なくとも１本が配置され、前記野縁に天井板が支持されている天井構造であって、前記床梁は、水平面に沿った上、下のフランジを有するＨ型鋼からなり、前記接続金物は、少なくとも、前記下のフランジの下面に添着された下側水平部を含み、前記ボルトは、前記下のフランジと前記下側水平部とをそれぞれ固着しかつ前記下側水平部よりも下方に突出する下側ボルトを含んでおり、前記野縁の前記端部分の前記上面部は、前記下側ボルトの下方に位置していることを特徴とする。
【発明の効果】
【００１８】
本発明の野縁は、床梁側の上面部と、天井板側の下面部とを含み、下面部から上面部までの野縁厚さは、第１厚さと、第１厚さよりも小さい第２厚さとを含んでいる。そして、野縁の長さ方向の端部分は、第２厚さで形成されている。
【００１９】
このような野縁は、端部側において、床梁から下側に突出しているボルト等との干渉を防ぎながら、床梁により近づけた配置が可能である。従って、本発明の野縁及びそれを用いた天井構造は、建物の高さ方向において、天井高さを高くする等、高いスペース効率を実現することができる。
【図面の簡単な説明】
【００２０】
【図１】本発明の実施形態の一例を示す野縁の斜視図である。
【図２】図１の野縁を用いた天井構造の断面図である。
【図３】図２の要部斜視図である。
【図４】本発明の他の実施形態の一例を示す野縁の分解斜視図である。
【図５】本発明の他の実施形態の一例を示す野縁の組み立てられた状態の斜視図である。
【図６】従来の天井構造の断面図である。
【発明を実施するための形態】
【００２１】
以下、本発明の実施の一形態が図面に基づき説明される。
図１には、本実施形態の野縁１の斜視図が示されている。本実施形態の野縁１は、例えば、金属製であり、角筒の材料で形成されている。野縁１の材料や形状は、この実施形態に限定されるものではない。
【００２２】
野縁１は、建物の天井構造に用いられるときに、床梁側（上側）を向く上面部４と、天井板側（下側）を向く下面部５とを有する。この下面部５から上面部４までが野縁厚さとして定義される。
【００２３】
野縁厚さは、第１厚さｔ１と、第１厚さｔ１よりも小さい第２厚さｔ２とを含んでおり、野縁１の長さ方向の端部分１ｅは、第２厚さｔ２で形成されている。
【００２４】
本実施形態では、第１厚さｔ１は、野縁１を構成している角筒の厚さ寸法に等しい。一方、第２厚さｔ２は、野縁１の端部分１ｅの上面部分がステップ状に切り欠かれて形成されている。つまり、野縁１の端部分１ｅの上面部は、それ以外の部分よりも低い位置にある。野縁１の端部分１ｅは、野縁１の端Ｅからある長さを持った領域である。本実施形態において、野縁１の端部分１ｅは、予め工場等で加工されている。
【００２５】
図２は、図１の実施形態の野縁１が用いられた建物の天井構造の断面図を示している。図３は、図２から床梁２２や天井板３３を除いたその要部斜視図を示している。図２及び３において、図６と同じ部分については、同一の符号が付されており、ここでの説明は省略される。
【００２６】
図２及び図３に示されるように、野縁１は、床梁２２の下方で水平方向に配されている。野縁１の端部は、野縁受け部材４０で支持されている。野縁受け材４０は、図３に示されるように、例えば、断面がＬ字又はコ字状のアングル材が用いられている。野縁受け材４０は、下地材３９を介して壁面に固定されている。
【００２７】
野縁１の下面部５には、直接又は取付金物を介して、天井材３３が固着されている。
【００２８】
本実施形態の野縁１は、第２厚さｔ２を有する端部分１ｅが、柱２０と床梁２２との接合部分に配されている。特に好ましい態様では、下の取付片２４Ｂの下側水平部２７から下側に突出している下側ボルト２８ａの下方に配置される。
【００２９】
以上のように構成された野縁１は、下側ボルト２８ａとの干渉を防ぎながら、床梁２２により近づけた配置が可能になる。従って、本発明の野縁１は、建物の高さ方向において、天井高さを高くする等、高いスペース効率を実現することができる。
【００３０】
本実施形態の天井構造では、柱２０と床梁２２との接合部以外には、第２厚さｔ２を有さず、全範囲に亘って第１厚さｔ１の野縁１００が用いられる。このような野縁１００は、汎用性が高く、かつ、生産性が良い。従って、本発明の野縁１が限定的に使用され、他の箇所には野縁１００が用いられることにより、天井構造のコストの上昇が抑えられる。
【００３１】
第１厚さｔ１と第２厚さｔ２との差ｔ１ーｔ２は、特に限定されないが、床梁２２の下面側で、下側に突出している段差量Ｔに基づいて適宜設定されれば良い。好ましくは、厚さの差ｔ１ーｔ２は、段差量Ｔ以上に設定される。
【００３２】
野縁１の端部分１ｅの長さも、特に限定されるものではなく、適用される構造に基づいて適宜設定される。好ましくは、床梁２２の下面側に突出している水平方向に長さ以上とされる。
【００３３】
図４及び図５には、本発明の他の実施形態の一例である野縁１が示されている。図４及び図５において、図１と同じ部分については、同一の符号が付されており、ここでの説明は省略される。
【００３４】
この実施形態の野縁１は、第１厚さｔ１の本体２と、第２厚さｔ２を有する端部材３とを含んでおり、端部材３が、本体２の長さ方向の端部側に固着されている。
【００３５】
本体２は、上面部４と下面部５とを継ぐ一対の側面部６、６を有する角筒状である。本実施形態の本体２は、その全長さに亘って第１厚さｔ１で形成されている。
【００３６】
端部材３は、本体２と重ねられている第１部分３Ａと、本体２から長さ方向にはみ出す第２部分３Ｂとを含んでいる。
【００３７】
第１部分３Ａは、本体２の側面部６に沿ってのびる側板部７と、この側板部７の上縁から本体２の上面部４を覆うようにのびる上板部８とを含み、下面側が切り欠かれた断面略コ字状に形成されている。側板部７、７間の隙間は、本体２の幅寸法と同じかそれよりも僅かに大きく形成されている。これにより、端部材３の第１部分３Ａは、本体２の上側から、本体２に挿入して互いに重ねることができる。
【００３８】
好ましい態様では、上板部８は、一方の側板部からのびる一方の上板部８ａと、他方の側板部からのびる他方の上板部８ｂとを含み、これらは、互いに離間している。第１部分３Ａを本体２の上側から挿入する際、上板部８ａ、８ｂ間の隙間を利用して、端部材３の側壁部７，７間を弾性変形で広げることができる。従って、本体２の一端に端部材３を装着する作業性が向上する。
【００３９】
第２部分３Ｂは、上面側が切り欠かれていることにより、第２厚さｔ２を有している。本実施形態の第２部分３Ｂは、本体２の下面部５に沿ってのびる底板部９と、この底板部の両端から上にのびる一対の側板部１０とからなり、上面側が切り欠かれた断面略コ字状とされている。
【００４０】
以上のような野縁１は、例えば、本体２及び端部材３がそれぞれ分解された状態で現場に搬入される。これにより、野縁１の可搬性が向上する。現場において、図５に示されるように、端部材３の第１部分３Ａが、本体２の端部にその上側重ねられる。第１部分３Ａと本体２との重なり長さを変えることにより、野縁１の長さも調節することもできる。また、本体２の断面外周面と、端部材３の断面内周面とは、互いに係合しうる凹凸が形成されているのが望ましい。
【００４１】
本体２と端部材３とは、例えば、ビス１１で固着されている。このため、作業者は、現場で簡単に野縁１を組み立てることができる。ビス１１は、例えば、第１部分の側壁部７と、本体２の側面部６とを一体に固着する。
【００４２】
なお、図３の最も右側に示されている野縁１は、この実施形態のものが示されている。
【００４３】
以上本発明の実施形態が詳細に説明されたが、本発明は、上記実施形態に限定されるものではなく、種々の態様に変更して実施され得る。
【符号の説明】
【００４４】
１  野縁
２  本体
３  端部材
４  上面部
５  下面部
２２  床梁
３３  天井板
ｔ１  第１厚さ
ｔ２  第２厚さ
【図１】
2014163149.tif 000003
【図２】
2014163149.tif 000004
【図３】
2014163149.tif 000005
【図４】
2014163149.tif 000006
【図５】
2014163149.tif 000007
【図６】
2014163149.tif 000008